(57)【特許請求の範囲】
【請求項１】
被写体を撮影した第１フレーム画像と、前記第１フレーム画像とは異なるタイミングで前記被写体を撮影した第２フレーム画像と、を取得する画像取得部と、
前記第１フレーム画像と前記第２フレーム画像を用いて酸素飽和度を算出する酸素飽和度算出部と、
前記第１フレーム画像の特定の波長帯域に対応する第１の特定波長帯域画素の値と、前記第２フレーム画像の前記特定の波長帯域に対応する第２の特定波長帯域画素の値と、の比である信号比を用いて、前記酸素飽和度算出部が算出する酸素飽和度の信頼度を算出する信頼度算出部と、
前記信頼度を用いて酸素飽和度の情報量を調節する情報量調節部と、
を備え、
前記信頼度算出部は、前記信号比と、前記第１フレーム画像の画素値及び前記第２フレーム画像の画素値と、を用いて前記信頼度を算出する内視鏡システム。
【請求項２】
前記信頼度算出部は、前記信号比を用いて第１信頼度を算出し、前記第１フレーム画像の画素値及び前記第２フレーム画像の画素値を用いて第２信頼度を算出し、かつ、前記第１信頼度と前記第２信頼度のうちの最小値を前記信頼度として出力する請求項１に記載の内視鏡システム。
【請求項３】
前記第１信頼度は、
前記信号比の値が特定値を含む第１特定範囲内の値である場合に一定値であり、かつ、
前記信号比の値が前記第１特定範囲外の値である場合に前記特定値から離れるほど漸減する請求項２に記載の内視鏡システム。
【請求項４】
前記第２信頼度は、
前記第１フレーム画像の画素値及び前記第２フレーム画像の画素値が第２特定範囲内の値である場合に一定値であり、かつ、
前記第１フレーム画像の画素値または前記第２フレーム画像の画素値のうちいずれか１つ以上が前記第２特定範囲外の値である場合に零である請求項２または３に記載の内視鏡システム。
【請求項５】
前記特定の波長帯域は、緑色波長帯域、または、赤色波長帯域である請求項１〜４のいずれか１項に記載の内視鏡システム。
【請求項６】
前記信頼度算出部は、さらに、対応する波長帯域が互いに異なる前記第１フレーム画像の画素値と前記第２フレーム画像の画素値との比を用いて前記信頼度を算出する請求項１に記載の内視鏡システム。
【請求項７】
前記信頼度算出部は、赤色波長帯域に対応する前記第１フレーム画像の画素値または前記第２フレーム画像の画素値と、緑色波長帯域に対応する前記第１フレーム画像の画素値または前記第２フレーム画像の画素値と、の比である第２の信号比を用いて前記信頼度を算出する請求項６に記載の内視鏡システム。
【請求項８】
前記信頼度算出部は、青色波長帯域に対応する前記第１フレーム画像の画素値または前記第２フレーム画像の画素値と、緑色波長帯域に対応する前記第１フレーム画像の画素値または前記第２フレーム画像の画素値と、の比である第３の信号比を用いて前記信頼度を算出する請求項６または７に記載の内視鏡システム。
【請求項９】
前記第１フレーム画像の撮影と前記第２フレーム画像の撮影を連続して行う請求項１〜８のいずれか１項に記載の内視鏡システム。
【発明の詳細な説明】
【技術分野】
【０００１】
本発明は、酸素飽和度を算出する内視鏡システムに関する。
【背景技術】
【０００２】
医療分野においては、光源装置、内視鏡、及びプロセッサ装置を備える内視鏡システムが普及している。特に近年においては、観察対象である被写体の外観を撮影して観察するだけでなく、被写体を撮影した画像を用いて、酸素飽和度等の生体情報を算出する内視鏡システムが知られている。酸素飽和度は、ヘモグロビンの酸素飽和度に応じて吸光係数が変化する照明光を用いて撮影した画像を用いて演算等することにより算出する。【０００３】
また、算出した酸素飽和度の正確性を表す信頼度を算出し、酸素飽和度を表す酸素飽和度画像を生成する場合には、信頼度が低い部分については表示色をモノクロ調に近づけることにより、表示する酸素飽和度が有する情報量を変更する内視鏡システムが知られている（特許文献１）。具体的には、特許文献１の内視鏡システムにおいては、酸素飽和度の算出に用いる画像の画素値を用いて、第１の信頼度を求める。また、画素の位置に応じた第２の信頼度を求める。第１の信頼度は、ハレーションが発生している部分、または、極端に暗いためにＳ／Ｎ比（signal to noise ratio）が小さい部分等においては、酸素飽和度の算出精度が低下することを表す。第２の信頼度は、照明光の光量分布に起因して酸素飽和度の算出精度の低下を表す。特許文献１の内視鏡システムにおいては、第１の信頼度、第２の信頼度、または、第１の信頼度及び第２の信頼度の両方を用いて、酸素飽和度画像における酸素飽和度の表示色を変更する。
【先行技術文献】
【特許文献】
【０００４】
【特許文献１】特開２０１２−１４３３９９号公報
【発明の概要】
【発明が解決しようとする課題】
【０００５】
特許文献１が開示するように、酸素飽和度の算出精度は、ハレーション部分、暗部、照明光の光量分布、または、これらの複合的な要因によって低下するが、この他にも、酸素飽和度の算出精度が低下する要因がある。具体的には、被写体の動きまたは被写体と内視鏡の相対的な動きがある場合、酸素方飽和度の酸素飽和度が低下する。通常、酸素飽和度の算出には、２フレームをかけて撮影した画像を使用するからである。【０００６】
本発明は、被写体の動きまたは被写体と内視鏡の相対的な動きがある場合においても、酸素飽和度の情報量を、その正確性に応じて調節する内視鏡システムを提供することを目的とする。
【課題を解決するための手段】
【０００７】
本発明の内視鏡システムは、被写体を撮影した第１フレーム画像と、第１フレーム画像とは異なるタイミングで被写体を撮影した第２フレーム画像と、を取得する画像取得部と、第１フレーム画像と第２フレーム画像を用いて酸素飽和度を算出する酸素飽和度算出部と、第１フレーム画像の特定の波長帯域に対応する第１の特定波長帯域画素の値と、第２フレーム画像の特定の波長帯域に対応する第２の特定波長帯域画素の値と、の比である信号比を用いて、酸素飽和度算出部が算出する酸素飽和度の信頼度を算出する信頼度算出部と、信頼度を用いて酸素飽和度の情報量を調節する情報量調節部と、を備える。【０００８】
信頼度算出部は、信号比と、第１フレーム画像の画素値及び第２フレーム画像の画素値と、を用いて信頼度を算出することが好ましい。【０００９】
信頼度算出部は、信号比を用いて第１信頼度を算出し、第１フレーム画像の画素値及び第２フレーム画像の画素値を用いて第２信頼度を算出し、かつ、第１信頼度と第２信頼度のうちの最小値を信頼度として出力することが好ましい。【００１０】
第１信頼度は、信号比の値が特定値を含む第１特定範囲内の値である場合に一定値であり、かつ、信号比の値が第１特定範囲外の値である場合に特定値から離れるほど漸減することが好ましい。【００１１】
第２信頼度は、第１フレーム画像の画素値及び第２フレーム画像の画素値が第２特定範囲内の値である場合に一定値であり、かつ、第１フレーム画像の画素値または第２フレーム画像の画素値のうちいずれか１つ以上が第２特定範囲外の値である場合に、零であることが好ましい。【００１２】
特定の波長帯域は、緑色波長帯域、または、赤色波長帯域であることが好ましい。【００１３】
信頼度算出部は、さらに、対応する波長帯域が互いに異なる第１フレーム画像の画素値と第２フレーム画像の画素値との比を用いて信頼度を算出することが好ましい。【００１４】
信頼度算出部は、赤色波長帯域に対応する第１フレーム画像の画素値または第２フレーム画像の画素値と、緑色波長帯域に対応する第１フレーム画像の画素値または第２フレーム画像の画素値と、の比である第２の信号比を用いて信頼度を算出することが好ましい。【００１５】
信頼度算出部は、青色波長帯域に対応する第１フレーム画像の画素値または第２フレーム画像の画素値と、緑色波長帯域に対応する第１フレーム画像の画素値または第２フレーム画像の画素値と、の比である第３の信号比を用いて信頼度を算出することが好ましい。【００１６】
第１フレーム画像の撮影と第２フレーム画像の撮影を連続して行うことが好ましい。
【発明の効果】
【００１７】
本発明の内視鏡システムによれば、被写体の動きまたは被写体と内視鏡の相対的な動きがある場合においても、酸素飽和度の情報量を、その正確性に応じて調節できる。
【図面の簡単な説明】
【００１８】
【図１】内視鏡システムの外観図である。
【図２】内視鏡システムのブロック図である。
【図３】撮影フレームごとの照明光と取得画像を示す表である。
【図４】ヘモグロビン及び酸化ヘモグロビンの吸光係数を示すグラフである。
【図５】画像処理部の構成を示すブロック図である。
【図６】画素値の比と酸素飽和度の相関関係を示すグラフである。
【図７】第１信頼度のグラフである。
【図８】第２信頼度の算出に用いるＢ１信頼度のグラフである。
【図９】酸素飽和度を算出する流れを示すフローチャートである。
【図１０】第３信頼度のグラフである。
【図１１】第４信頼度のグラフである。
【図１２】変形例の光源の構成を示すブロック図である。
【図１３】内視鏡システムと画像処理装置の関係を示す説明図である。
【図１４】内視鏡システム及びＰＡＣＳと診断支援装置の関係を示す説明図である。
【図１５】各種検査装置と医療業務支援装置の関係を示す説明図である。
【発明を実施するための形態】
【００１９】
［第１実施形態］
図１に示すように、内視鏡システム１０（内視鏡装置）は、内視鏡１２と、光源装置１４と、プロセッサ装置１６と、モニタ１８と、コンソール１９と、を備える。内視鏡１２は、被写体を撮影する。光源装置１４は、照明光を発生する。プロセッサ装置１６は、内視鏡システム１０のシステム制御及び画像処理等を行う。モニタ１８は、内視鏡１２で撮影した画像（内視鏡画像）を表示する表示部である。コンソール１９は、プロセッサ装置１６等への設定入力等を行う入力デバイスである。
【００２０】
内視鏡１２は、被検体内に挿入する挿入部１２ａと、挿入部１２ａの基端部分に設けた操作部１２ｂと、挿入部１２ａの先端側に設けた湾曲部１２ｃと、先端部１２ｄと、を有している。操作部１２ｂのアングルノブ１２ｅを操作することにより、湾曲部１２ｃが湾曲する。その結果、先端部１２ｄが所望の方向に向く。また、操作部１２ｂには、アングルノブ１２ｅの他、ズーム操作部１３が設けられている。ズーム操作部１３を操作することによって、被写体を拡大または縮小して撮影できる。
【００２１】
図２に示すように、光源装置１４は、照明光を発光する光源部２０と、光源部２０の動作を制御する光源制御部２２と、を備える。
【００２２】
光源部２０は、被写体を照明する照明光、または、照明光を発光するために使用する励起光等を発光する。光源部２０は、例えば、レーザーダイオード（以下、ＬＤという）、ＬＥＤ(Light Emitting Diode)、キセノンランプ、または、ハロゲンランプの光源を含み、少なくとも、白色の照明光、または、白色の照明光を発光するために使用する励起光を発光する。白色には、内視鏡１２を用いた被写体の撮影において実質的に白色と同等な、いわゆる擬似白色を含む。光源部２０は、必要に応じて、励起光の照射を受けて発光する蛍光体、または、照明光または励起光の波長帯域、スペクトル、もしくは光量等を調節する光学フィルタ等を含む。この他、光源部２０は、被写体が含むヘモグロビンの酸素飽和度等の生体情報を算出するために使用する画像の撮影に必要な、特定の波長帯域を有する光を発光できる。
【００２３】
本実施形態においては、光源部２０は、中心波長が約４７３ｎｍの第１励起光を発光する第１ＬＤ(Laser Diode)と、中心波長が約４４５ｎｍの第２励起光を発光する第２ＬＤと、を含む。光源部２０が発光した照明光は、ライトガイド４１に入射する。ライトガイド４１は、内視鏡１２及びユニバーサルコード内に内蔵されており、照明光を内視鏡１２の先端部１２ｄまで伝搬する。ユニバーサルコードは、内視鏡１２と光源装置１４及びプロセッサ装置１６とを接続するコードである。
【００２４】
光源制御部２２は、光源部２０を構成する各光源の点灯または消灯もしくは遮蔽のタイミング、及び、発光量等を制御する。その結果、光源部２０は、スペクトルが異なる複数種類の照明光を発光できる。また、光源制御部２２は、撮影のタイミング（いわゆるフレーム）に合わせて光源部２０を制御する。
【００２５】
内視鏡１２の先端部１２ｄには、照明光学系３０ａと撮影光学系３０ｂが設けられている。照明光学系３０ａは、照明レンズ４５を有しており、この照明レンズ４５を介して照明光が被写体に向けて出射する。本実施形態においては、照明光学系３０ａは、照明レンズ４５の他に、第１励起光または第２励起光の照射を受けて発光する蛍光体４２を有する。蛍光体４２は、第１励起光または第２励起光の一部を透過し、かつ、概ね緑色から赤色の蛍光を発光する。このため、蛍光体４２を透過した第１励起光または第２励起光と、蛍光体４２が発光する蛍光と、照明光学系３０ａは全体として白色の照明光を被写体に向けて出射する。以下、第１励起光を用いた場合に出射する白色の照明光を第１白色光Ｗ１といい、かつ、第２励起光を用いた場合に出射する白色の照明光を第２白色光Ｗ２という。また、第１白色光Ｗ１が含む青色成分の光を青色光Ｂ１、第１白色光Ｗ１が含む緑色成分の光を緑色光Ｇ１、第１白色光Ｗ１が含む赤色成分の光を赤色光Ｒ１、第２白色光Ｗ２が含む青色成分の光を青色光Ｂ２、第２白色光Ｗ２が含む緑色成分の光を緑色光Ｇ２、第２白色光Ｗ２が含む赤色成分の光を赤色光Ｒ２という。
【００２６】
撮影光学系３０ｂは、対物レンズ４６、ズームレンズ４７、及びイメージセンサ４８を有する。イメージセンサ４８は、対物レンズ４６及びズームレンズ４７を介して、被写体から戻る照明光の反射光等（反射光の他、散乱光、被写体が発する蛍光、または、被写体に投与等した薬剤に起因した蛍光等を含む）を用いて被写体を撮影する。ズームレンズ４７は、ズーム操作部１３の操作をすることで移動し、イメージセンサ４８を用いて撮影する被写体を拡大または縮小する。
【００２７】
イメージセンサ４８は、例えば原色系のカラーフィルタを有するカラーセンサであり、青色カラーフィルタを有するＢ画素（青色画素）、緑色カラーフィルタを有するＧ画素（緑色画素）、及び、赤色カラーフィルタを有するＲ画素（赤色画素）の３種類の画素を備える。青色カラーフィルタは、主として紫色から青色の光を透過する。緑色カラーフィルタは、主として緑色の光を透過する。赤色カラーフィルタは、主として赤色の光を透過する。このため、１回の撮影において、Ｂ画像（青色画像）と、Ｇ画像（緑色画像）と、Ｒ画像（赤色画像）の３種類の画像を同時に得ることができる。
【００２８】
イメージセンサ４８としては、ＣＣＤ（Charge Coupled Device）センサや、ＣＭＯＳ（Complementary Metal Oxide Semiconductor）センサを利用可能である。また、本実施形態のイメージセンサ４８は、原色系のカラーセンサであるが、補色系のカラーセンサを用いることもできる。補色系のカラーセンサは、例えば、シアンカラーフィルタが設けられたシアン画素、マゼンタカラーフィルタが設けられたマゼンタ画素、イエローカラーフィルタが設けられたイエロー画素、及び、グリーンカラーフィルタが設けられたグリーン画素を有する。補色系カラーセンサを用いる場合に上記各色の画素から得る画像は、補色−原色色変換をすれば、Ｂ画像、Ｇ画像、及びＲ画像に変換できる。また、カラーセンサの代わりに、カラーフィルタを設けていないモノクロセンサをイメージセンサ４８として使用できる。この場合、ＢＧＲ等各色の照明光を用いて被写体を順次撮影することにより、上記各色の画像を得ることができる。
【００２９】
プロセッサ装置１６は、制御部５２と、画像取得部５４と、画像処理部６１と、表示制御部６６と、を有する（図２参照）。
【００３０】
制御部５２は、照明光の照射タイミングと撮影のタイミングの同期制御等の内視鏡システム１０の統括的な制御を行う。また、コンソール１９等を用いて、各種設定の入力等をした場合には、制御部５２は、その設定を、光源制御部２２、イメージセンサ４８、または画像処理部６１等の内視鏡システム１０の各部に入力する。
【００３１】
画像取得部５４は、各々異なる波長帯域を有する照明光を用いて被写体を撮影した複数種類の画像を取得する。具体的には、画像取得部５４は、被写体を撮影した第１フレーム画像と、第１フレーム画像とは異なるタイミングで被写体を撮影した第２フレーム画像と、を取得する。これにより、画像取得部５４は、特定の生体情報の算出に必要な画像を取得する。特定の生体情報とは、酸素飽和度、血管の深さ、もしくは、血管の密度等、または、被写体を撮影した画像を用いて演算等することによって得るその他の情報である。本実施形態においては、特定の生体情報とは、酸素飽和度である。
【００３２】
より具体的には、イメージセンサ４８がカラーフィルタを有するので、画像取得部５４は、照明光ごとに、かつ、カラーフィルタごとに画像を取得する。すなわち、図３に示すように、第１白色光Ｗ１を用いて被写体を撮影することにより、ＢＧＲ各色の画像を取得し、かつ、第２白色光Ｗ２を用いて被写体を撮影してＢＧＲ各色の画像を取得する。本実施形態においては、被写体を撮影して得る一連の画像のうち、第１白色光Ｗ１を用いて被写体を撮影した画像を「第１フレーム画像」といい、かつ、第１フレーム画像とは異なるタイミングで被写体を撮影した画像を「第２フレーム画像」という。第２フレーム画像は、例えば第１フレーム画像よりも時間的に後（または前）に撮影した画像である。第１フレーム画像と第２フレーム画像は連続して撮影した画像でなくても良いが、本実施形態においては動きがあってもその影響をできるだけ低減するために第１フレーム画像と第２フレーム画像は連続して撮影した画像であり、第１フレーム画像の撮影の後に第２フレーム画像の撮影をする。第１フレーム画像の撮影と第２フレーム画像の撮影を連続して行うとは、第１フレーム画像の撮影と第２フレーム画像の撮影の間に他の撮影をせず、第１フレーム画像の撮影の次に第２フレーム画像の撮影をすること、または、第２フレーム画像の撮影の次に第１フレーム画像の撮影をすることをいう。
【００３３】
第１フレーム画像の撮影及び第２フレーム画像の撮影のいずれにおいても、画像取得部５４は、Ｂ画像、Ｇ画像、及びＲ画像を取得する。但し、第１フレーム画像の撮影と第２フレーム画像の撮影においてそれぞれ使用する照明光が異なるので、以下では区別のために、第１フレーム画像の撮影において取得するＢ画像をＢ１画像といい、第１フレーム画像の撮影において取得するＧ画像をＧ１画像といい、かつ、第１フレーム画像の撮影において取得するＲ画像をＲ１画像という。同様に、第２フレーム画像の撮影において取得するＢ画像をＢ２画像といい、第２フレーム画像の撮影において取得するＧ画像をＧ２画像といい、かつ、第２フレーム画像の撮影において取得するＲ画像をＲ２画像という。Ｂ１画像、Ｇ１画像、及びＲ１画像はいずれも第１フレーム画像であり、かつ、Ｂ２画像、Ｇ２画像、及びＲ２画像はいずれも第２フレーム画像である。
【００３４】
第１白色光Ｗ１が含む青色光Ｂ１は第１励起光を多く含み、かつ、第１励起光の中心波長である約４７３ｎｍは、図４に示すように酸化ヘモグロビン（ＨｂＯ）と還元ヘモグロビン（Ｈｂ）とで吸光係数の差が概ね極大になる波長である。第２白色光Ｗ２が含む青色光Ｂ２は、第２励起光を多く含み、かつ、第２励起光の中心波長である約４４５ｎｍは、酸化ヘモグロビンと還元ヘモグロビンとで吸光係数の変化がほとんどない波長である。また、励起光に第１励起光と第２励起光の違いがあっても、蛍光体４２が発光する蛍光のスペクトルの差は小さい。そして、第１白色光Ｗ１が含む緑色光Ｇ１及び赤色光Ｒ１、並びに、第２白色光Ｗ２が含む緑色光Ｇ２及び赤色光Ｒ２は、第１白色光Ｗ１が含む青色光Ｂ１と比較する場合、酸素飽和度に応じた吸光係数の変化はほぼない。したがって、第１白色光Ｗ１が含む青色光Ｂ１は、酸素飽和度に応じて吸光係数が変化する照明光であり、かつ、第２白色光Ｗ２が含む青色光Ｂ２は、青色光Ｂ１よりも酸素飽和度に応じた吸光係数の変化が小さい照明光である。
【００３５】
画像取得部５４は、ＤＳＰ（Digital Signal Processor）５６と、ノイズ低減部５８と、変換部５９と、を有し、これらを用いて、取得した画像に必要に応じて各種処理を施す。
【００３６】
ＤＳＰ５６は、取得した画像に対し、必要に応じて欠陥補正処理、オフセット処理、ゲイン補正処理、リニアマトリクス処理、ガンマ変換処理、デモザイク処理、及びＹＣ変換処理等の各種処理を施す。
【００３７】
欠陥補正処理は、イメージセンサ４８の欠陥画素に対応する画素の画素値を補正する処理である。オフセット処理は、欠陥補正処理を施した画像から暗電流成分を低減し、正確な零レベルを設定する処理である。ゲイン補正処理は、オフセット処理をした画像にゲインを乗じることにより各画像の信号レベルを整える処理である。リニアマトリクス処理は、オフセット処理をした画像の色再現性を高める処理であり、ガンマ変換処理は、リニアマトリクス処理後の画像の明るさや彩度を整える処理である。デモザイク処理（等方化処理または同時化処理とも言う）は、欠落した画素の画素値を補間する処理であり、ガンマ変換処理後の画像に対して施す。欠落した画素とは、カラーフィルタの配列に起因して（イメージセンサ４８において他の色の画素を配置しているため）、画素値がない画素である。例えば、デモザイク処理は、Ｂ画素の画素値を用いて補間することにより、Ｇ画素及びＲ画素の位置におけるＢ画素の画素値を生成する。他の色も同様である。ＹＣ変換処理は、デモザイク処理後の画像を、輝度チャンネルＹと色差チャンネルＣｂ及び色差チャンネルＣｒに変換する処理である。
【００３８】
ノイズ低減部５８は、輝度チャンネルＹ、色差チャンネルＣｂ及び色差チャンネルＣｒに対して、例えば、移動平均法またはメディアンフィルタ法等を用いてノイズ低減処理を施す。変換部５９は、ノイズ低減処理後の輝度チャンネルＹ、色差チャンネルＣｂ及び色差チャンネルＣｒを再びＢＧＲの各色の画像に再変換する。
【００３９】
画像処理部６１は、画像取得部５４が取得した画像を用いて表示用の画像を生成する。本実施形態においては、画像処理部６１は、画像取得部５４が取得した画像を用いて、酸素飽和度を算出し、酸素飽和度を表す酸素飽和度画像を表示表画像として生成する。図５に示すように、画像処理部６１は、信号比算出部７２と、酸素飽和度算出部７３と、相関関係記憶部７４と、信頼度算出部７６と、画像生成部７７と、を備える。
【００４０】
信号比算出部７２は、酸素飽和度算出部７３が酸素飽和度の算出に使用する信号比を算出する。具体的には、信号比算出部７２は、Ｂ１画像の画素値とＧ２画像の画素値の比である信号比「Ｂ１／Ｇ２」と、Ｒ２画像の画素値とＧ２画像の画素値の比である信号比「Ｒ２／Ｇ２」と、を算出する。Ｂ１／Ｇ２の値は酸素飽和度と血液量（血液濃度）に依存し、かつ、Ｒ２／Ｇ２の値は血液量に依存する。なお、信号比算出部７２が算出する各信号比は、画素ごとに、または、複数の画素を１単位とする場合にはその単位ごとに、算出する。
【００４１】
酸素飽和度算出部７３は、信号比算出部７２が算出する信号比と、相関関係記憶部７４が記憶する相関関係と、を用いて酸素飽和度を算出する。相関関係記憶部７４が記憶する相関関係は、図６に示すように、例えば、Ｂ１／Ｇ２の対数（ｌｏｇ（Ｂ１／Ｇ２））及びＲ２／Ｇ２の対数（ｌｏｇ（Ｒ２／Ｇ２））と、酸素飽和度の値と、を対応付ける。酸素飽和度算出部７３は、この相関関係を参照することにより、血液量の影響を除いて、酸素飽和度を算出できる。例えば、特定の画素においてＢ１／Ｇ２の値が「Ｂ１*／Ｇ２*」であり、かつ、Ｒ２／Ｇ２の値が「Ｒ２*／Ｇ２*」である場合、酸素飽和度算出部７３は、この特定の画素における酸素飽和度を「４０％」と算出する。なお、酸素飽和度算出部７３は、画素ごとに、または、複数の画素を１単位とする場合にはその単位ごとに、酸素飽和度を算出する。
【００４２】
信頼度算出部７６は、酸素飽和度算出部７３が算出する酸素飽和度の正確性を表す「信頼度」を算出する。信頼度算出部７６は、最終的に出力する信頼度（以下、信頼度Ｚという）の算出において、「第１フレーム画像の特定の波長帯域に対応する第１の特定波長帯域画素の値」と、「第２フレーム画像の特定の波長帯域に対応する第２の特定波長帯域画素の値」と、の比である信号比を少なくとも使用する。信頼度算出部７６が算出する信頼度は、酸素飽和度を算出する単位と同様に、画素ごとに、または、複数の画素を１単位とする場合にはその単位ごとに、算出する。
【００４３】
本実施形態においては、「第１フレーム画像の特定の波長帯域に対応する第１の特定波長帯域画素の値」はＧ１画像の画素値であり、かつ、「第２フレーム画像の特定の波長帯域に対応する第２の特定波長帯域画素の値」はＧ２画像の画素値である。したがって、信頼度算出部７６は、Ｇ１画像の画素値と、Ｇ２画像の画素値と、の比である信号比「Ｇ１／Ｇ２」（またはＧ２／Ｇ１）を算出し、かつ、算出したＧ１／Ｇ２を用いて第１信頼度Ｙ１を算出する。
【００４４】
第１の特定波長帯域画素と第２の特定波長帯域画素は、それぞれ第１フレーム画素と第２フレーム画素のなかで、照明光のスペクトルに関して同じ条件で被写体を撮影した画像の画素である。このため、Ｇ１／Ｇ２は、被写体の動きまたは被写体と内視鏡１２の相対的な動き（以下、単に「動き」という）がなければほぼ「１」（特定値Ｉｖ）であり、動きがある場合には、動きの大きさに起因してこの特定値から値が変動する。すなわち、Ｇ１／Ｇ２は、動きの大きさを表す。また、Ｇ１／Ｇ２を用いて算出する第１信頼度Ｙ１は、動きに起因した酸素飽和度の算出精度（正確性）を表す。
【００４５】
動きがあると、酸素飽和度の算出精度が下がる。このため、図７に示すように、信頼度算出部７６は、Ｇ１／Ｇ２を用いて第１信頼度Ｙ１を算出する。すなわち、第１信頼度Ｙ１は、ｌｏｇ（Ｇ１／Ｇ２）の値が特定値Ｉｖ（「１」）を含む、閾値Ｔｈ０２以上閾値Ｔｈ０３以下の第１特定範囲内の値である場合に一定値（例えば「１」）である。また、ｌｏｇ（Ｇ１／Ｇ２）の値が第１特定範囲外の値である場合に特定値Ｉｖから離れるほど漸減する。例えば、ｌｏｇ（Ｇ１／Ｇ２）が閾値Ｔｈ０２より小さい値である場合、特定値Ｉｖから離れるほど第１信頼度Ｙ１の値は漸減し、かつ、閾値Ｔｈ０１（Ｔｈ０１＜Ｔｈ０２）以下で第１信頼度Ｙ１の値を零（「０」）とする。また、ｌｏｇ（Ｇ１／Ｇ２）が閾値Ｔｈ０３よりも大きい場合、特定値Ｉｖから離れるほど第１信頼度Ｙ１の値は漸減し、かつ、閾値Ｔｈ０４（Ｔｈ０３＜Ｔｈ０４）以上で第１信頼度Ｙ１の値を零（「０」）とする。
【００４６】
なお、「第１フレーム画像の特定の波長帯域に対応する第１の特定波長帯域画素の値」をＲ１画像の画素値とする場合、「第２フレーム画像の特定の波長帯域に対応する第２の特定波長帯域画素の値」はＲ２画像の画素値である。この場合、信頼度算出部７６は、Ｒ１画像の画素値と、Ｒ２画像の画素値と、の比である信号比「Ｒ１／Ｒ２」（または「Ｒ２／Ｒ１」を算出し、かつ、Ｒ１／Ｇ２の値を用いて第１信頼度Ｙ１を算出する。また、「特定の波長帯域」は、上記の通り、緑色波長帯域、または、赤色波長帯域であることが好ましい。青色光Ｂ１と青色光Ｂ２は、酸素飽和度に応じたヘモグロビンの吸光係数に対する変化の大きさにおいて違いが大きいので、照明光のスペクトルに関して同じ条件で被写体を撮影したとは言えないからである。また、第１信頼度Ｙ１は、信頼度算出部７６が最終的に出力する信頼度Ｚを算出するために用いるパラメータの１つであるが、信頼度算出部７６は、第１信頼度Ｙ１を信頼度Ｚとして出力できる。
【００４７】
本実施形態においては、信頼度算出部７６は、上記Ｇ１／Ｇ２の他に、第１フレーム画像の画素値及び第２フレーム画像の画素値と、を用いて、最終的に出力する信頼度Ｚを算出する。具体的には、信頼度算出部７６は、第１フレーム画像の画素値及び第２フレーム画像の画素値を用いて、最終的に出力する信頼度Ｚの算出に用いる第２信頼度Ｙ２を算出する。
【００４８】
第２信頼度Ｙ２は、例えば、第１フレーム画像であるＢ１画像の画素値を用いて算出するＢ１信頼度と、第１フレーム画像であるＧ１画像の画素値を用いて算出するＧ１信頼度と、第１フレーム画像であるＲ１画像の画素値を用いて算出するＲ１信頼度と、第２フレーム画像であるＢ２画像の画素値を用いて算出するＢ２信頼度と、第２フレーム画像であるＧ２画像の画素値を用いて算出するＧ２信頼度と、第２フレーム画像であるＲ２画像の画素値を用いて算出するＲ２信頼度と、を用いる。Ｂ１信頼度は、図８に示すように、Ｂ１画像の画素値が閾値Ｔｈ０５以上閾値Ｔｈ０６以下の第２特定範囲内の値である場合に一定値「１」であり、Ｂ１画像の画素値が、第２特定範囲外の値である場合（閾値Ｔｈ０５より小さい場合または閾値Ｔｈ０６より大きい場合）に零（「０」）とする。Ｇ１信頼度、Ｒ１信頼度、Ｂ２信頼度、Ｇ２信頼度、及び、Ｒ２信頼度についても同様である。
【００４９】
信頼度算出部７６は、例えば、Ｂ１信頼度、Ｇ１信頼度、Ｒ１信頼度、Ｂ２信頼度、Ｇ２信頼度、及びＲ２信頼度のうちの最小値を、第２信頼度Ｙ２とする。したがって、第２信頼度Ｙ２は、第１フレーム画像の画素値及び前記第２フレーム画像の画素値が第２特定範囲内の値である場合に一定値であり、かつ、第１フレーム画像の画素値または第２フレーム画像の画素値のうちいずれか１つ以上が第２特定範囲外の値である場合に零である。すなわち、第２信頼度Ｙ２は、第１フレーム画像である各色画像または第２フレーム画像である各色画像のいずれかにおいて、ハレーションまたは暗部である場合には「０」であり、これ以外の場合には「１」である。なお、本実施形態においては、信頼度算出部７６は、取得した第１フレーム画像の各色画像と第２フレーム画像の各色画像の全てを使用して第２信頼度Ｙ２を算出するが、第２信頼度Ｙ２は、少なくとも信号比算出部７２で用いる画像及び信頼度算出部７６で第２信頼度Ｙ２以外の演算（第１信頼度Ｙ１の算出等）に用いる画像のみを使用して算出してもよい。
【００５０】
信頼度算出部７６は、第１信頼度Ｙ１と第２信頼度Ｙ２のうちの最小値を、最終的に出力する信頼度Ｚとする。したがって、信頼度Ｚは、動きの大きさと、画素値から判別可能なハレーション等の不具合の有無と、を表す。
【００５１】
画像生成部７７は、例えば第２フレーム画像であるＢ２画像、Ｇ２画像、及びＲ２画像とを用いていわゆる白色光画像を生成する。そして、白色光画像を、酸素飽和度算出部７３が算出した酸素飽和度の値を用いて色付けすることにより、表示用の画像として、酸素飽和度の値を色で表す酸素飽和度画像を生成する。
【００５２】
画像生成部７７は、酸飽和度画像を生成する際に、信頼度Ｚを用いて酸素飽和度の情報量を調節する情報量調節部７８を有する。情報量調節部７８は、信頼度算出部７６から信頼度Ｚを取得し、白色光画像の色差チャンネル画像に信頼度Ｚを乗じることにより、酸素飽和度画像用の色差チャンネル画像を生成する。画像生成部７７は、白色光画像の輝度チャンネル画像を輝度チャンネルＹに使用し、白色光画像の色差チャンネル画像（Ｃｒ）に信頼度を乗じたＣｒ×Ｚを色差チャンネルＣｒに割り当て、かつ、白色光画像の色差チャンネル画像（Ｃｂ）に信頼度を乗じたＣｂ×Ｚを色差チャンネルＣｂに割り当てることにより、酸素飽和度画像を生成する。このため、酸素飽和度画像は、信頼度Ｚが大きい部分においては酸素飽和度の値に応じた色を有するが、信頼度Ｚが小さい部分においては酸素飽和度の値に関わらず無彩色に近づき、酸素飽和度の情報量が低下する。
【００５３】
表示制御部６６は、画像生成部７７から表示用の画像を取得し、取得した画像を表示に適した形式に変換してモニタ１８に出力する。これにより、本実施形態においては、モニタ１８は酸素飽和度画像を表示する。
【００５４】
以下、内視鏡システム１０において酸素飽和度画像を生成及び表示する動作の流れを、図９に示すフローチャートに沿って説明する。まず、照明光を少なくとも第１白色光Ｗ１と第２白色光Ｗ２とで切り換えながら被写体を撮影することにより、画像取得部５４が、酸素飽和度の算出及び酸素飽和度の画像の生成に必要な画像を取得する（ステップＳ１１）。すなわち、画像取得部５４は、第１白色光Ｗ１を用いる第１フレーム画像の撮影において、第１フレーム画像であるＢ１画像、Ｇ１画像、及びＲ１画像を取得し、かつ、第２白色光Ｗ２を用いる第２フレーム画像の撮影において、第２フレーム画像であるＢ２画像、Ｇ２画像、及びＲ２画像を取得する。
【００５５】
画像取得部５４が第１フレーム画像及び第２フレーム画像を取得すると、これらの画像を用いて酸素飽和度を算出する（ステップＳ１２）。具体的には、信号比算出部７２がＢ１／Ｇ２及びＲ２／Ｇ２を算出し、その後、酸素飽和度算出部７３がＢ１／Ｇ２及びＲ２／Ｇ２と、相関関係記憶部７４が記憶する相関関係と、を使用して、画素ごとに酸素飽和度を算出する。
【００５６】
こうして酸素飽和度を算出する一方で、信頼度算出部７６は、動きに起因する酸素飽和度の算出精度の低下の程度を反映した信頼度Ｚを算出する（ステップＳ１３）。具体的には、信頼度算出部７６は、Ｇ１／Ｇ２を用いて、動きの大きさを反映した第１信頼度Ｙ１を算出する。また、信頼度算出部７６は、第１フレーム画像の画素値及び第２フレーム画像の画素値を用いて、ハレーション部分であるか否か、及び、暗部であるか否か、を反映した第２信頼度Ｙ２を算出する。そして、第１信頼度Ｙ１と第２信頼度Ｙ２のうち最小値を信頼度Ｚとする。
【００５７】
酸素飽和度算出部７３が酸素飽和度を算出し、かつ、信頼度算出部７６が信頼度Ｚを算出すると、画像生成部７７は、情報量調節部７８によって信頼度Ｚを用いて酸素飽和度の情報量を調節しつつ、酸素飽和度の値を色で表す酸素飽和度画像を生成する（ステップＳ１４）。画像生成部７７が酸素飽和度画像を生成すると、モニタ１８は酸素飽和度画像を表示する（ステップＳ１５）。信頼度Ｚを用いて酸素飽和度の情報量を調節した酸素飽和度画像は、信頼度Ｚが大きい部分においては、酸素飽和度の値に応じた色を表示するので酸素飽和度の視認性が高い。このため、信頼度Ｚが大きい部分においては酸素飽和度の情報量は大きい。一方、信頼度Ｚが小さい部分においては酸素飽和度の値に関わらず無彩色に近づくので、酸素飽和度の視認性が低下する。その結果、信頼度Ｚが小さい部分においては、酸素飽和度の情報量は、信頼度Ｚが大きい部分に比べて相対的に小さい。
【００５８】
上記のように、内視鏡システム１０においては、少なくとも動きの大きさを反映した信頼度Ｚを算出する。そして、この信頼度Ｚを用いて酸素飽和度の情報量を調節して酸素飽和度画像を生成するので、動きがある場合においても、酸素飽和度の情報量を、その正確性に応じて調節できる。
【００５９】
本実施形態においては、信頼度Ｚに応じて、表示色を変更しているが、その他にも、酸素飽和度を数字で表示する場合には、信頼度Ｚが低い部分は数字を小さく表示（信頼度Ｚが高い部分を表す数字の文字サイズと比較して相対的に小さい文字サイズで数字を表示）したり、数字の表示を無くすことが考えられる。加えて本実施形態では情報量の調節を、モニタにおける表示において行っている。しかし、情報量の調節はこれに限定されるものではない。例えば、酸素飽和度をモニタ等に表示しない場合には、信頼度Ｚが低い部分においては、“ＮＵＬＬ”などの酸素飽和度と関連の薄い値に置き換えて情報量を調節することが考えられる。
【００６０】
［第２実施形態］
上記第１実施形態においては、信頼度算出部７６は、第１信頼度Ｙ１と第２信頼度Ｙ２を用いて、最終的に出力する信頼度Ｚを算出しているが、信頼度算出部７６は、少なくとも第１信頼度Ｙ１に加えて、さらに、対応する波長帯域が互いに異なる第１フレーム画像の画素値と第２フレーム画像の画素値との比を用いて、信頼度Ｚを算出できる。
【００６１】
例えば、信頼度算出部７６は、赤色波長帯域に対応する第１フレーム画像の画素値または第２フレーム画像の画素値と、緑色波長帯域に対応する第１フレーム画像の画素値または第２フレーム画像の画素値と、の比である「第２の信号比」を用いて信頼度Ｚを算出できる。
【００６２】
「赤色波長帯域に対応する第１フレーム画像の画素値または第２フレーム画像の画素値」とは、Ｒ１画像の画素値またはＲ２画像の画素値である。「緑色波長帯域に対応する第１フレーム画像の画素値または第２フレーム画像の画素値」とは、Ｇ１画像の画素値またはＧ２画像の画素値である。したがって、「第２の信号比」とは、Ｒ１／Ｇ１（もしくはＧ１／Ｒ１）、Ｒ１／Ｇ２（もしくはＧ２／Ｒ２）、Ｒ２／Ｇ１（もしくはＧ１／Ｒ２）、または、Ｒ２／Ｇ２（もしくはＧ２／Ｒ２）である。これら「第２の信号比」の値は、いずれも血液量に依存する。
【００６３】
本実施形態においては、信頼度算出部７６は、第１信頼度Ｙ１を算出するための信号比（第１の信号比）等に加えて、さらに、第２の信号比としてＲ２／Ｇ２を算出し、かつ、図１０に示すように、Ｒ２／Ｇ２を用いて第３信頼度Ｙ３を算出する。すなわち、第３信頼度Ｙ３は、ｌｏｇ（Ｒ２／Ｇ２）の値が閾値Ｔｈ０８以上閾値Ｔｈ０９以下の第３特定範囲内の値である場合に一定値（例えば「１」）である。また、ｌｏｇ（Ｒ２／Ｇ２）の値が第３特定範囲外の値である場合に、ｌｏｇ（Ｒ２／Ｇ２）の値に応じて漸減する。例えば、ｌｏｇ（Ｒ２／Ｇ２）が閾値Ｔｈ０８よりも小さい場合、第３信頼度Ｙ３の値は漸減し、かつ、閾値Ｔｈ０７（Ｔｈ０７＜Ｔｈ０８）以下で第３信頼度Ｙ３の値を零（「０」）とする。また、ｌｏｇ（Ｒ２／Ｇ２）が閾値Ｔｈ０９よりも大きい場合、第３信頼度Ｙ３の値は漸減し、かつ、閾値Ｔｈ１０（Ｔｈ０９＜Ｔｈ１０）以上で第３信頼度Ｙ３の値を零（「０」）とする。信頼度算出部７６は、第１信頼度Ｙ１、第２信頼度Ｙ２、及び第３信頼度Ｙ３のうちの最小値を、最終的に出力する信頼度Ｚとする。第２信頼度Ｙ２を算出しない場合には、第１信頼度Ｙ１と第３信頼度Ｙ３のうちの最小値を、最終的に出力する信頼度Ｚとする。
【００６４】
上記のように、血液量に依存する第２の信号比を用いて算出する第３信頼度Ｙ３を、信頼度Ｚの算出に用いると、血液量が適正な部分については酸素飽和度の情報量を高く保ち、血液量が適正でなく、算出した酸素飽和度の正確性が低い部分については無彩色に近づけて、酸素飽和度の情報量を低減できる。この結果、例えば、被写体に出血がある場合等においても、酸素飽和度の情報量を、その正確性に応じて調節できる。
【００６５】
［第３実施形態］
上記の他、例えば、信頼度算出部７６は、青色波長帯域に対応する第１フレーム画像の画素値または第２フレーム画像の画素値と、緑色波長帯域に対応する第１フレーム画像の画素値または第２フレーム画像の画素値と、の比である「第３の信号比」を用いて信頼度Ｚを算出できる。
【００６６】
「青色波長帯域に対応する第１フレーム画像の画素値または第２フレーム画像の画素値」とは、Ｂ１画像の画素値またはＢ２画像の画素値である。「緑色波長帯域に対応する第１フレーム画像の画素値または第２フレーム画像の画素値」とは、Ｇ１画像の画素値またはＧ２画像の画素値である。したがって、「第３の信号比」とは、Ｂ１／Ｇ１（もしくはＧ１／Ｂ１）、Ｂ１／Ｇ２（もしくはＧ２／Ｂ１）、Ｂ２／Ｇ１（もしくはＧ１／Ｂ２）、または、Ｂ２／Ｇ２（もしくはＧ２／Ｂ２）である。これら「第３の信号比」の値は、いずれもビリルビン等の黄色色素を含む残渣等の有無及び付着量に依存する。
【００６７】
本実施形態においては、信頼度算出部７６は、第１信頼度Ｙ１を算出するための信号比（第１の信号比）等に加えて、さらに、第３の信号比としてＢ１／Ｇ２を算出し、かつ、図１１に示すように、Ｂ１／Ｇ２を用いて第４信頼度Ｙ４を算出する。すなわち、第４信頼度Ｙ４は、ｌｏｇ（Ｂ１／Ｇ２）の値が閾値Ｔｈ１１以下であって残渣等の付着量が大きい場合に零（「０」）であり、ｌｏｇ（Ｂ１／Ｇ２）の値が閾値Ｔｈ１２（Ｔｈ１１＜Ｔｈ１２）以上であって残渣等の付着量が小さい場合に一定値（「１」）であり、かつ、ｌｏｇ（Ｂ１／Ｇ２）の値が閾値Ｔｈ１１より大きく閾値Ｔｈ１２より小さい範囲内においては第３の信号比が小さくなるほど漸減する。
信頼度算出部７６は、第１信頼度Ｙ１、第２信頼度Ｙ２、第３信頼度Ｙ３、及び第４信頼度Ｙ４のうちの最小値を、最終的に出力する信頼度Ｚとする。第２信頼度Ｙ２を算出しない場合、または、第３信頼度Ｙ３を算出しない場合も同様である。
【００６８】
上記のように、残渣等の有無及び付着量に依存する第３の信号比を用いて算出する第４信頼度Ｙ４を、信頼度Ｚの算出に用いると、残渣等の付着量が小さい部分については酸素飽和度の情報量を高く保ち、残渣等の付着量が大きく、算出した酸素飽和度の正確性が低い部分については無彩色に近づけて、酸素飽和度の情報量を低減できる。この結果、例えば、被写体の一部または全体に残渣等が付着している場合においても、酸素飽和度の情報量を、その正確性に応じて調節できる。
【００６９】
なお、上記第１実施形態、第２実施形態、及び第３実施形態においては、光源部２０は第１ＬＤと第２ＬＤを備え、これらと蛍光体４２とを用いて照明光を生成しているが、光源部２０はＬＥＤで構成できる。この場合、図１２に示すように、光源部２０には、中心波長が約４７０ｎｍの青色光Ｂ１を発光するＢ１−ＬＥＤ４１０と、中心波長が約４５０ｎｍの青色光Ｂ２を発光するＢ２−ＬＥＤ４１１と、中心波長が約５４０ｎｍの緑色光Ｇを発光するＧ−ＬＥＤ４１２と、中心波長が約６５０ｎｍの赤色光Ｒを発光するＲ−ＬＥＤ４１３と、を備える。そして、第１フレーム画像の撮影においては、青色光Ｂ１と、緑色光Ｇと、赤色光Ｒと、を含む照明光を使用して被写体を撮影し、その結果、画像取得部５４は、Ｂ１画像と、Ｇ１画像と、Ｒ１画像と、を取得できる。また、第２フレーム画像の撮影においては、青色光Ｂ２と、緑色光Ｇと、赤色光Ｒと、を含む照明光を用いて被写体を撮影し、その結果、画像取得部５４は、Ｂ２画像と、Ｇ２画像と、Ｒ２画像と、を取得できる。
【００７０】
なお、上記実施形態等においては、酸素飽和度を算出しているが、本発明は、他の生体情報を表す画像等（血液量または特定の深さにある血管の画像等）を生成する際にも有用である。他の生体情報を明示的に算出する場合、酸素飽和度算出部７３は生体情報算出部とする。また、結果として他の生体情報を表す画像を生成する場合、酸素飽和度算出部７３は、その画像を生成するために信号比を用いて必要な演算をする演算部とできる。
【００７１】
この他、図１３に示すように、内視鏡システム１０のうち画像処理部６１を構成する各部の一部または全部は、例えばプロセッサ装置１６と通信して内視鏡システム１０と連携する医療画像処理装置７０１に設けることができる。また、図１４に示すように、内視鏡システム１０のうち画像処理部６１を構成する各部の一部または全部は、例えば内視鏡システム１０から直接的に、または、ＰＡＣＳ（Picture Archiving and Communication Systems）７１０から間接的に、内視鏡１２で撮影した画像を取得する診断支援装置７１１に設けることができる。また、図１５に示すように、内視鏡システム１０を含む、第１検査装置７２１、第２検査装置７２２、…、第Ｎ検査装置７２３等の各種検査装置と、ネットワーク７２６を介して接続する医療業務支援装置７３０に、内視鏡システム１０のうち画像処理部６１を構成する各部の一部または全部を設けることができる。
【００７２】
上記実施形態において、光源制御部２２、制御部５２、画像取得部５４及び画像取得部５４を構成する各部、画像処理部６１及び画像処理部６１を構成する各部、並びに、表示制御部６６等といった各種の処理を実行する処理部（processing unit)のハードウェア的な構造は、次に示すような各種のプロセッサ（processor）である。各種のプロセッサには、ソフトウエア（プログラム）を実行して各種の処理部として機能する汎用的なプロセッサであるＣＰＵ（Central Processing Unit)、ＧＰＵ（Graphical Processing Unit）、ＦＰＧＡ (Field Programmable Gate Array) などの製造後に回路構成を変更可能なプロセッサであるプログラマブルロジックデバイス（Programmable Logic Device:ＰＬＤ）、各種の処理を実行するために専用に設計された回路構成を有するプロセッサである専用電気回路などが含まれる。
【００７３】
１つの処理部は、これら各種のプロセッサのうちの１つで構成されてもよいし、同種または異種の２つ以上のプロセッサの組み合せ（例えば、複数のＦＰＧＡ、ＣＰＵとＦＰＧＡの組み合わせ、またはＣＰＵとＧＰＵの組み合わせ等）で構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウエアの組み合わせで１つのプロセッサを構成し、このプロセッサが複数の処理部として機能する形態がある。第２に、システムオンチップ（System On Chip:ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【００７４】
さらに、これらの各種のプロセッサのハードウェア的な構造は、より具体的には、半導体素子などの回路素子を組み合わせた形態の電気回路（circuitry）である。
【符号の説明】
【００７５】
１０  内視鏡システム
１２  内視鏡
１２ａ  挿入部
１２ｂ  操作部
１２ｃ  湾曲部
１２ｄ  先端部
１２ｅ  アングルノブ
１３  ズーム操作部
１４  光源装置
１６  プロセッサ装置
１８  モニタ
１９  コンソール
２０  光源部
２２  光源制御部
３０ａ  照明光学系
３０ｂ  撮影光学系
４１  ライトガイド
４２  蛍光体
４５  照明レンズ
４６  対物レンズ
４７  ズームレンズ
４８  イメージセンサ
５２  制御部
５４  画像取得部
５６  ＤＳＰ（Ｄｉｇｉｔａｌ  Ｓｉｇｎａｌ  Ｐｒｏｃｅｓｓｏｒ）
５８  ノイズ低減部
５９  変換部
６１  画像処理部
６６  表示制御部
７２  信号比算出部
７３  酸素飽和度算出部
７４  相関関係記憶部
７６  信頼度算出部
７７  画像生成部
７８  情報量調節部
４１０  Ｂ１−ＬＥＤ
４１１  Ｂ２−ＬＥＤ
４１２  Ｇ−ＬＥＤ
４１３  Ｒ−ＬＥＤ
７０１  医療画像処理装置
７１０  ＰＡＣＳ
７１１  診断支援装置
７２１  第１検査装置
７２２  第２検査装置
７２３  検査装置
７２６  ネットワーク
７３０  医療業務支援装置
Ｉｖ  特定値
Ｔｈ０１、Ｔｈ０２、Ｔｈ０３、Ｔｈ０４、Ｔｈ０５、Ｔｈ０６、Ｔｈ０７、Ｔｈ０８、Ｔｈ０９、Ｔｈ１０、Ｔｈ１１、Ｔｈ１２  閾値
Ｙ１  第１信頼度
Ｙ２  第２信頼度
Ｙ３  第３信頼度
Ｙ４  第４信頼度
Ｚ  信頼度
Ｂ１、Ｂ２  青色光
Ｃｂ  色差チャンネル
Ｃｒ  色差チャンネル
Ｃｙ  シアン色光
Ｄ１、Ｄ２  変化量
Ｇ、Ｇ１、Ｇ２  緑色光
Ｈｂ  還元ヘモグロビン
ＨｂＯ  酸化ヘモグロビン
Ｍａ  マゼンダ色光
Ｒ、Ｒ１、Ｒ２  赤色光
Ｓ１１、Ｓ１２、Ｓ１３、Ｓ１４、Ｓ１５  ステップ
Ｗ１  第１白色光
Ｗ２  第２白色光
【図１】
0006891304.tif 000002
【図２】
0006891304.tif 000003
【図３】
0006891304.tif 000004
【図４】
0006891304.tif 000005
【図５】
0006891304.tif 000006
【図６】
0006891304.tif 000007
【図７】
0006891304.tif 000008
【図８】
0006891304.tif 000009
【図９】
0006891304.tif 000010
【図１０】
0006891304.tif 000011
【図１１】
0006891304.tif 000012
【図１２】
0006891304.tif 000013
【図１３】
0006891304.tif 000014
【図１４】
0006891304.tif 000015
【図１５】
0006891304.tif 000016